【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
カメラモジュールを組み込むための上方開放の内側面で被包されて桝状体に形成された中空部を有し、該中空部を形成する内側面にコンタクトピンを設けたカメラモジュール用コネクタであって、該カメラモジュール用コネクタの前記中空部内側面に前記コンタクトピンと離間させてアース用のグランド端子を設け、
前記グランド端子及びコンタクトピンは夫々前記カメラモジュールの接触パッドと接触する接触用突部を有し、該グランド端子の接触用突部は該コンタクトピンの接触用突部よりも前記中空部の前記カメラモジュールの挿入側に配置され、該カメラモジュールが挿入された時、該グランド端子の接触用突部が該コンタクトピンの接触用突部よりも先に該カメラモジュールの接触パッドに接触するように構成し、
且つ、前記コンタクトピンは略逆Ｖ字状に折曲されて前記コネクタの中空部内側面に固着され、その一端部の端子部は該コネクタが載置される基板上回路に接するように下方に露出し、その他端部は前記カメラモジュールの接触パッドに接触するように該中空部内に突設する如く折曲されて接触用突部が形成されてなり、
更に、前記グランド端子の前記接触用突部を前記カメラモジュールに係合させることにより、該カメラモジュールの抜け止めを行うように構成したことを特徴とするカメラモジュール用コネクタ。
【請求項２】
前記コンタクトピンは、前記中空部の基板側底面部に設けられている開口部に対応して突設されることを特徴とする請求項１記載のカメラモジュール用コネクタ。
【請求項３】
前記グランド端子は、略Ｕ字状に形成されてなり、その上部に水平内方に鍵状の接触用突部を形成されることを特徴とする請求項１記載のカメラモジュール用コネクタ。
【請求項４】
前記カメラモジュールは携帯電話の使用に供せられることを特徴とする請求項１、２または３記載のカメラモジュール用コネクタ。
【手続補正２】
【補正対象書類名】明細書
【補正対象項目名】全文
【補正方法】変更
【補正の内容】
【発明の詳細な説明】
【発明の名称】カメラモジュール用コネクタ
【技術分野】
【０００１】
この発明は、カメラモジュール用コネクタに関するものであり、特に、静電気防止対策等を図ったカメラモジュール用コネクタに関するものである。
【背景技術】
【０００２】
従来のこの種モジュール用コネクタを図４乃至図７に従って説明する。図４は例えば携帯電話等に実装するカメラモジュール１を示し、該カメラモジュール１はカメラモジュール本体部２と該カメラモジュール本体部２上部に形成されるレンズ部３から成り、該カメラモジュール本体部２の底面に端子部となる複数の接触パッド４，４…、５，５…が２列に形成されている。
【０００３】
図５は前記カメラモジュール１を取付けるためのコネクタ６を示し、該コネクタ６は上方開放の中空部を有する桝状体に形成され、該コネクタ６の底部６ｂ上面には中央近傍からそれぞれ左右内側面まで延びる左右２列の複数の溝７，７…８，８…内にそれぞれ左右２列の複数の接触端子としてのコンタクトピン９，９…、１０，１０…が配設されている。
【０００４】
又、図６に示すとおり、左列のコンタクトピン９，９…は中央近傍が一部折曲されて前記溝７，７…の上方に突設し、前記カメラモジュール１の接触パッド４，４…に接触するための接触用突部９ａ，９ａ…が形成されると共に、左方に延び前記コネクタ６を貫通して外方に突出し、且つ、該コネクタ６を載置する基板（図示せず）に接するように折曲された端子９ｂ，９ｂ…が形成されている。
【０００５】
同様に、右列のコンタクトピン１０，１０…も中央部近傍が一部折曲されて前記溝８，８…の上方に突設し、前記カメラモジュール１の接触パッド５，５…に接触するための接触用突部１０ａ，１０ａ…が形成されると共に、右方に延び前記コネクタ６を貫通して外方に突出し、且つ、該コネクタ６を載置する基板に接するように折曲された端子１０ｂ，１０ｂ…が形成されている。
【０００６】
又、前記コンタクトピン９，９…、１０，１０…は、該コンタクトピン９，９…、１０，１０…の接触用突部９ａ，９ａ…、１０ａ，１０ａ…が前記カメラモジュール１の接触パッド４，４…、５，５…によって上方から押下されると、図６の二点鎖線に示す如く屈曲して、前記コンタクトピン９，９…、１０，１０…の先端部が前記底部６ｂに当接し、その反力によって前記接触パッド４，４…、５，５…を強く圧接するように構成されている。
【０００７】
斯様にして、図７に示す如く、前記カメラモジュール１を前記コネクタ６の上方から該コネクタ６の中空部６ａ内に挿入すると、該カメラモジュール１の接触パッド４，４…、５，５…が該コネクタ６の前記コンタクトピン９，９…、１０，１０…に形成された接触用突部９ａ，９ａ…、１０ａ，１０ａ…に圧接状態で接触し、前記カメラモジュール１が前記コネクタ６に組み込まれる。
【０００８】
そして、前記カメラモジュール１の信号は前記接触パッド４，４…、５，５…から、前記接触用突部９ａ，９ａ…、１０ａ，１０ａ…を介して前記コンタクトピン９，９…、１０，１０…に伝達され、該コンタクトピン９，９…、１０，１０…から前記端子９ｂ，９ｂ…、１０ｂ，１０ｂ…を介して前記基板の回路（図示せず）に伝達される。
【０００９】
斯かる従来技術に関連する文献として、技術的態様は異なるが、特許文献１のものが存する。
【特許文献１】特開２００１−１８８１５５号公報（図１、図３、図４）
【発明の開示】
【発明が解決しようとする課題】
【００１０】
然しながら、前記コンタクトピン９，９…、１０，１０…の接触用突部９ａ，９ａ…、１０ａ，１０ａ…と前記カメラモジュール１の接触パッド４，４…、５，５…は接触タイミングが同時となるように構成されており、静電気対策のシーケンスが設けられていないため、静電気の発生により、前記カメラモジュール１又は前記コネクタ６に接続される電気回路を損傷する虞れがあった。
【００１１】
そこで、カメラモジュール用コネクタにおいて、該カメラモジュールの静電気を確実に除去し、静電気による被害を防止するために解決すべき技術的課題が生じてくるのであり、本発明はこの課題を解決することを目的とする。
【課題を解決するための手段】
【００１２】
本発明は上記目的を達成するために提案されたものであり、カメラモジュールを組み込むための上方開放の内側面で被包されて桝状体に形成された中空部を有し、該中空部を形成する内側面にコンタクトピンを設けたカメラモジュール用コネクタであって、該カメラモジュール用コネクタの前記中空部内側面に前記コンタクトピンと離間させてアース用のグランド端子を設け、前記グランド端子及びコンタクトピンは夫々前記カメラモジュールの接触パッドと接触する接触用突部を有し、該グランド端子の接触用突部は該コンタクトピンの接触用突部よりも前記中空部の前記カメラモジュールの挿入側に配置され、該カメラモジュールが挿入された時、該グランド端子の接触用突部が該コンタクトピンの接触用突部よりも先に該カメラモジュールの接触パッドに接触するように構成し、且つ、前記コンタクトピンは略逆Ｖ字状に折曲されて前記コネクタの中空部内側面に固着され、その一端部の端子部は該コネクタが載置される基板上回路に接するように下方に露出し、その他端部は前記カメラモジュールの接触パッドに接触するように該中空部内に突設する如く折曲されて接触用突部が形成されてなり、更に、前記グランド端子の前記接触用突部を前記カメラモジュールに係合させることにより、該カメラモジュールの抜け止めを行うように構成したカメラモジュール用コネクタ、及び、前記コンタクトピンは、前記中空部の基板側底面部に設けられている開口部に対応して突設されるカメラモジュール用コネクタ、並びに、前記グランド端子は、略Ｕ字状に形成されてなり、その上部に水平内方に鍵状の接触用突部を形成されるカメラモジュール用コネクタ、及び、前記カメラモジュールは携帯電話の使用に供せられるカメラモジュール用コネクタを提供するものである。
【発明の効果】
【００１３】
本発明は、カメラモジュール用コネクタにおいて、該カメラモジュール用コネクタの内側面で被包されて形成された中空部を形成する内側面にコンタクトピンと離間させてアース用のグランド端子を設け、且つ、カメラモジュール用コネクタの上記中空部に該カメラモジュールの組み込みが完了した時、上記グランド端子の上記接触用突部は接触パッドから離間されるように構成し、更に、前記カメラモジュールを挿入後、該カメラモジュールの抜け止めを行うものであるので、カメラモジュールの接触パッドが該グランド端子に接触して静電気が除去されることとなり、静電気による被害を防ぐことができる。又、上記コンタクトピンは逆Ｖ字状に折曲されて前記コネクタの中空部内側面に固着され、その一端部の端子部は該コネクタが載置される基板上回路に接するように下方に露出し、その他端部は前記カメラモジュールの接触パッドに接触するように内方に突設する如く折曲されて接触用突部が形成されているので、コンタクトピンの弾性と前記突出した接触突部によってコネクタとカメラモジュールとが確実に接続することができると共に、上記グランド端子の接触用突部により、カメラモジュールの挿入時、接触パッドとの接触により静電気除去がなされた後、カメラモジュールの抜け止めがなされるから簡易な構成で実践的な使用効果を向上させることができる。
【発明を実施するための最良の形態】
【００１４】
カメラモジュール用コネクタにおいて、該カメラモジュール用コネクタの内側面で被包されて形成された中空部を形成する内側面に、逆Ｖ字状に折曲されて前記コネクタの中空部内側面に固着され、一端部が前記カメラモジュールの接触パッドに接触するように内方に突設する如く折曲されて接触用突部が形成されたコンタクトピン、及び該コンタクトピンと離間させてアース用のグランド端子を設け、該グランド端子の接触用突部は該コンタクトピンの接触用突部よりも前記中空部の前記カメラモジュールの挿入側に配置され、該カメラモジュールが挿入された時、該グランド端子の接触用突部が該コンタクトピンの接触用突部よりも先に該カメラモジュールの接触パッドに接触するように構成して、簡素な機構で静電気除去の実効を達成した。
【実施例】
【００１５】
以下、本発明の一実施の形態を図１乃至図３に従って詳述する。本発明は、カメラモジュール用コネクタであるが、ここでは図１に示す如く、例えば携帯電話等に実装するカメラモジュール２１に関して説明する。該カメラモジュール２１はカメラモジュール本体部２２と該カメラモジュール本体部２２上部に形成されるレンズ部２３とからなり、該カメラモジュール本体部２２の４側面下半部に端子部となる複数の接触パッド２４，２４…がそれぞれ鉛直方向に平行に形成されている。
【００１６】
図２は、前記カメラモジュール２１を取付けるためのコネクタ２５を示し、該コネクタ２５は上方開放の中空部２５ａを備えた桝状体に形成され、且つ、該コネクタ２５の底部２５ｂは４側辺近傍が切欠されて開口部２５ｃ，２５ｃ…が形成され、該中空部２５ａの内側面には鉛直方向に平行に接触端子となる複数のコンタクトピン２６，２６…が配設されている。
【００１７】
更に、前記中空部２５ａの４隅部近傍には各内側面に各一個ずつアースとなるグランド端子２７，２７，２７，２７が前記コンタクトピン２６，２６，２６…と所定間隔離間して平行に配設され、該グランド端子２７，２７，２７，２７はカメラモジュール本体部２２に設けた凹溝２２ａ，２２ａ，２２ａ，２２ａと係合するように該凹溝２２ａ，２２ａ，２２ａ，２２ａと対峙して設けられている。
【００１８】
そして、前記コンタクトピン２６は逆Ｖ字状に折曲されて前記コネクタ２５の中空部２５ａ内側面に固着され、該コンタクトピン２６の一端部は該コネクタ２５が載置される基板（図示せず）上面の回路（図示せず）に接するように先端の端子部２６ａが前記開口部２５ｃから下方に露出し、且つ、水平方向外方に折曲され、他端部は前記カメラモジュール本体部２２の前記接触パッド２４に接触するように内方に突設する如く折曲されて接触用突部２６ｂが形成されている。
【００１９】
また、前記グランド端子２７は略Ｕ字状に折曲されて一端が前記コネクタ２５の中空部２５ａ内側面に固着され、他端側の上端近傍には前記中空部２５ａ側に突出する如く折曲された接触用突部２７ａが形成されている。そして、該接触用突部２７ａは前記コンタクトピン２６の接触用突部２６ｂよりも上方に位置して形成されている。
【００２０】
而して、前記カメラモジュール２１を前記コネクタ２５の上方から該コネクタ２５の中空部２５ａ内に挿入すると、該カメラモジュール２１の接触パッド２４，２４…が、先ず該中空部２５ａの内側面の何れかの前記グランド端子２７の前記接触用突部２７ａに接触して静電気が除去された後、図３に示す如く、該接触パッド２４，２４…が前記コンタクトピン２６，２６…に形成された接触用突部２６ｂ，２６ｂ…に圧接状態で接触すると共に、前記凹溝２２ａ，２２ａ，２２ａ，２２ａに前記グランド端子２７，２７，２７，２７の前記接触用突部２７ａ，２７ａ，２７ａ，２７ａが係合して前記カメラモジュール２１の抜け止めがなされ、斯くして、前記カメラモジュール２１が前記コネクタ２５へ組み込まれる。  なお、前述の説明でも明らかなように、前記凹溝２２ａ，２２ａ，２２ａ，２２ａの形状は、特に限定されるものではなく、前記接触用突部２７ａ，２７ａ，２７ａ，２７ａを係合できるものであればいかなる形状でも可能であり、或いは前記接触用突部２７ａ，２７ａ，２７ａ，２７ａが前記カメラモジュール本体部２２の上面に係合するように構成することも可能である。
【００２１】
そして、前記カメラモジュール２１の信号は前記接触パッド２４，２４…から、前記接触用突部２６ｂ，２６ｂ…を介して前記コンタクトピン２６，２６…に伝達され、該コンタクトピン２６，２６…から前記端子部２６ａ，２６ａ…を介して前記基板の回路部に伝達される。
【００２２】
斯くの如く、前記コネクタ２５は前記グランド端子２７，２７，２７，２７が設けてあり、且つ、該グランド端子２７，２７，２７，２７の接触用突部２７ａ，２７ａ，２７ａ，２７ａが前記コンタクトピン２６，２６…の接触用突部２６ｂ，２６ｂ…よりも上方に位置して形成してあるので、前記カメラモジュール２１の接触パッド２４，２４…が、先ず該グランド端子２７の前記接触用突部２７ａに接触して静電気が確実に除去され、該静電気による被害を防止することができる。
【００２３】
また、前記凹溝２２ａ，２２ａ，２２ａ，２２ａに前記グランド端子２７，２７，２７，２７の前記接触用突部２７ａ，２７ａ，２７ａ，２７ａが係合するため、簡素な構成で該カメラモジュール２１の抜け止めが可能となる。
【００２４】
なお、説明の都合上、前記の如くコネクタ２５はカメラモジュールで記述したが、カメラモジュール以外に、メモリモジュール等の各種のモジュール、又は、各種の電気部品用にも適用とすることも可能である。
【００２５】
更に、本発明は、本発明の精神を逸脱しない限り種々の改変を為すことができ、そして、本発明が該改変されたものに及ぶことは当然である。
【図面の簡単な説明】
【００２６】
【図１】（ａ）本発明の一実施の形態を示し、カメラモジュールの平面図。（ｂ）前図（ａ）のカメラモジュールの正面図。（ｃ）前図（ａ）のカメラモジュールの背面図。（ｄ）前図（ａ）のカメラモジュールの左側面図。（ｅ）前図（ａ）のカメラモジュールの右側面図。（ｆ）前図（ａ）のカメラモジュールの底面図。
【図２】（ａ）本発明の一実施の形態を示し、コネクタの平面図。（ｂ）前図（ａ）のコネクタの正面図。（ｃ）前図（ａ）のコネクタの右側面図。（ｄ）前図（ａ）のコネクタの正面縦断面図。
【図３】図１に示すカメラモジュールを図２に示すコネクタに組み込んだ状態を示す正面縦断面図。
【図４】（ａ）従来例を示し、カメラモジュールの正面図。（ｂ）前図（ａ）のカメラモジュールの平面図。（ｃ）前図（ａ）のカメラモジュールの側面図。（ｄ）前図（ａ）のカメラモジュールの底面図。
【図５】（ａ）従来例を示し、コネクタの正面図。（ｂ）前図（ａ）のコネクタの平面図。（ｃ）前図（ａ）のコネクタの側面図。
【図６】図５に示すコネクタの拡大正面縦断面図。
【図７】図４に示すカメラモジュールを図５に示すコネクタに組み込んだ状態を示す正面縦断面図。
【符号の説明】
【００２７】
２１ カメラモジュール
２２ カメラモジュール本体部
２２ａ 凹溝
２４        接触パッド
２５        コネクタ
２５ａ      中空部
２５ｂ 底部
２５ｃ 開口部
２６        コンタクトピン
２６ｂ      コンタクトピンの接触用突部
２７        グランド端子
２７ａ      グランド端子の接触用突部